(57)【特許請求の範囲】
【請求項１】
使用者の身体を支持する身体支持部と、
前記身体支持部に設けられた施療部と、を有し、
前記施療部は、
第１エアセルと、
第２エアセルと、
前記第１エアセルを固定するための第１固定部材と、
前記第２エアセルを固定するための第２固定部材と、を有し、
前記第１エアセルと前記第２エアセルとの間には、前記第１固定部材が介在されており、
前記第１固定部材の前側は前記第１エアセルに固定され、後側は前記第２固定部材に揺動可能として固定され、
前記第１エアセルは前記第１固定部材に対して離反する方向に前記第１エアセルの後側端部が前側端部よりも大きく離反するように膨脹し、前記第２エアセルは前記第２固定部材に対して離反する方向に前記第２エアセルの前側端部が後側端部よりも大きく離反するように膨脹するように取り付けられており、
前記施療部は、前記使用者の身体の側部に対向するように配置されていることを特徴とするマッサージ機。
【請求項２】
前記第１固定部材は可撓性を有していることを特徴とする請求１ことを特徴とする請求項１に記載のマッサージ機。
【請求項３】
前記施療部は、前後方向又は左右方向又は上下方向に移動可能に構成されていることを特徴とする請求項１又は２に記載のマッサージ機。
【請求項４】
前記施療部は、左右方向又は上下方向に揺動可能に構成されていることを特徴とする請求項１又は２に記載のマッサージ機。
【請求項５】
前記施療部は、左右方向の軸心回りに回動可能に構成されていることを特徴とする請求項１又は２に記載のマッサージ機。
【請求項６】
前記施療部は、複数設けられていることを特徴とする請求項１〜５のいずれかに記載のマッサージ機。
【請求項７】
前記第１エアセルと前記第２エアセルは、それぞれ独立して膨脹収縮可能に構成されていることを特徴とする請求項１〜６のいずれかに記載のマッサージ機。
【請求項８】
前記施療部は、前記身体支持部の腰部に対応する位置に対して、取り付けられていることを特徴とする請求項１〜７のいずれかに記載のマッサージ機。
【発明の詳細な説明】
【技術分野】
【０００１】
本発明はマッサージ機に関する。より詳しくは、エアセルを安定して膨脹させることができるとともに、被施療部に対して異なる方向からマッサージすることができるマッサージ機に関する。
【背景技術】
【０００２】
従来、膨縮部と該膨縮部の周縁部に設けられた非膨縮縁部とを備えた膨縮袋の非膨縮縁部の一側を固着して重設膨縮袋を構成し、前記重設膨縮袋の各膨縮袋間に硬状平板の膨縮安定部材を介設し、該重設膨縮袋のうち一方の膨縮袋の非膨縮縁部の他側を施療機に固着して、重設膨縮袋の各膨縮袋を同時又は個別に膨縮させるように構成されたものが例示されている（例えば、特許文献１の図１４〜１８参照）。
【先行技術文献】
【特許文献】
【０００３】
【特許文献１】特許第４７７６４５２号公報
【発明の概要】
【発明が解決しようとする課題】
【０００４】
しかし、上記特許文献１のマッサージ機の重設膨縮袋は、各膨縮袋間に硬状平板の膨縮安定部材を介設しており、該硬状平板は膨縮袋に対して取り付けられている。そのため、膨脹の際、十分な安定感を得られず、被施療部に対して異なる方向から安定したマッサージをすることができないという問題がある。
【０００５】
そこで本発明は、上述した問題を解消するためになされたものであり、エアセルを安定して膨脹させることができるとともに、被施療部に対して、異なる方向からマッサージができるマッサージ機を提供することを目的とする。
【課題を解決するための手段】
【０００６】
本発明は、使用者の身体を支持する身体支持部と、前記身体支持部に設けられた施療部と、を有し、前記施療部は、第１エアセルと、第２エアセルと、前記第１エアセルを固定するための第１固定部材と、前記第２エアセルを固定するための第２固定部材と、を有し、前記第１エアセルと前記第２エアセルとの間には、前記第１固定部材が介在されており、前記第１固定部材の前側は前記第１エアセルに固定され、後側は前記第２固定部材に揺動可能として固定され、前記第１エアセルは前記第１固定部材に対して離反する方向に前記第１エアセルの後側端部が前側端部よりも大きく離反するように膨脹し、前記第２エアセルは前記第２固定部材に対して離反する方向に前記第２エアセルの前側端部が後側端部よりも大きく離反するように膨脹するように取り付けられており、前記施療部は、前記使用者の身体の側部に対向するように配置されていることを特徴とする前記施療部は、前記使用者の身体の側部に対向するように配置されていることを特徴とする。
このような構成とすることにより、第１エアセルの移動量を確保しつつ、エアセルを安定して膨脹させることができるとともに、被施療部に対して異なる方向からマッサージすることができる。
【０００７】
また、前記第１固定部材は可撓性を有していることが好ましい。
このような構成とすることにより、第１エアセルの移動量を確保することができる。
【０００８】
また、前記施療部は、前後方向又は左右方向又は上下方向に移動可能に構成されていることが好ましい。
このような構成とすることにより、使用者の体格に合わせて施療部の位置を調整することができる。
【０００９】
また、前記施療部は、左右方向又は上下方向に揺動可能に構成されていることが好ましい。
このような構成とすることにより、施療部の揺動動作と第１エアセル、第２エアセルによるマッサージ動作とを組み合わせてバリエーションに富んだマッサージをすることができる。
【００１０】
また、前記施療部は、左右方向の軸心回りに回動可能に構成されていることが好ましい。
このような構成とすることにより、施療部の回動動作と第１エアセル、第２エアセルによるマッサージ動作とを組み合わせてバリエーションに富んだマッサージをすることができる。
【００１１】
また、前記施療部は、複数設けられていることが好ましい。
このような構成とすることにより、離れた部位であっても、各施療部と連携したマッサージ動作をさせることによって、より効果的なマッサージすることができる。
【００１２】
また、前記第１エアセルと前記第２エアセルは、それぞれ独立して膨脹収縮可能に構成されていることが好ましい。
このような構成とすることにより、バリエーションに富んだマッサージができる。
【００１３】
また、前記施療部は、前記身体支持部の腰部に対応する位置に対して、取り付けられていることが好ましい。
このような構成とすることにより、使用者の腰部に対して、バリエーションに富んだマッサージをすることにより、痩身効果やコリをほぐすことができる。
【発明の効果】
【００１４】
本発明によれば、エアセルを安定して膨脹させることができるとともに、被施療部に対して異なる方向からマッサージをすることができる。
【図面の簡単な説明】
【００１５】
【図１】本発明の一実施形態に係るマッサージ機の斜視図である。
【図２】施療部の配置図である。
【図３】第１固定部材が可撓性を有さない部材により構成された施療部の膨脹状態を示す図であり、（ａ）は第１エアセル、第２エアセルが収縮状態、（ｂ）は第１エアセルが収縮状態、第２エアセルが膨脹状態、（ｃ）は第１エアセルが膨脹状態、第２エアセルが収縮状態、（ｄ）は第１エアセル、第２エアセルが膨脹状態、にあることを示す平面図である。
【図４】第１固定部材が可撓性を有する部材により構成された施療部の膨脹状態を示す図であり、（ａ）は第１エアセル、第２エアセルが収縮状態、（ｂ）は第１エアセルが収縮膨脹状態、第２エアセルが膨脹状態、（ｃ）は第１エアセルが膨脹状態、第２エアセルが収縮状態、（ｄ）は第１エアセル、第２エアセルが膨脹状態、にあることを示す平面図である。
【図５】施療部を示す図であり（ａ）は前後方向へ移動させる前の側面断面図であり、（ｂ）は前方向へ移動させた後の側面断面図であり、（ｃ）は、前後方向へ移動させる前の平面断面図である。
【図６】ポンプと各エアセルとの接続状態を示す配管図である。
【図７】施療部を前後方向へ移動する状態を示す図であり、（ａ）は移動前、（ｂ）は移動後を示す平面図である。
【図８】施療部を左右方向へ移動させる状態を示す図であり、（ａ）は移動前、（ｂ）は移動後を示す平面図である。
【図９】施療部を上下方向へ移動させる状態を示す図であり、（ａ）は移動前、（ｂ）は移動後を示す側面図である。
【図１０】施療部を上下左右方向に回動させる状態を示す図であり、（ａ）は回動前の平面図であり、（ｂ）は回動後の平面図であり、（ｃ）は施療部の上下方向への回動を示す側面図である。
【図１１】施療部を左右方向に揺動させる状態を示す図であり、（ａ）は揺動前の平面図であり、（ｂ）は揺動後の平面図である。
【図１２】本発明の他の実施形態を示す図であり、（ａ）は第１エアセル、第２エアセルともに収縮状態、（ｂ）は第１エアセルが収縮状態、第２エアセルが膨脹状態、（ｃ）は第１エアセルが膨脹状態、第２エアセルが収縮状態、にあることを示す側面図である。
【発明を実施するための形態】
【００１６】
［全体構成］
以下、本発明の一実施形態に係るマッサージ機の全体構成について説明する。
なお、以下の説明で用いる方向の概念は、図１に示す起立状態にあるマッサージ機１に着座した使用者から見たときの方向の概念と一致するものとし、左手側が「左」であり、右手側が「右」であり、頭部側が「上」であり、腰部側が「下」であり、その他の場合は適宜説明するものとする。
【００１７】
［マッサージ機の全体構成］
図１、２に示す通り、本発明のマッサージ機１は、主として、使用者が着座する座部２と座部２の後部にリクライニング可能に設けられた使用者が凭れる背凭れ部３と、背凭れ部３の内部に昇降自在に設けられたマッサージ機構４と、座部２の前部に上下揺動可能に設けられた使用者の脚部及び足部を支持するフットレスト５と、座部２の左右両側に設けられた使用者が腕部を載置する肘掛部６と、座部２を支持するとともに床面に設置される脚フレーム７と、を有している。そして、座部２や背凭れ部３などの身体支持部８の各所には、使用者を施療するための施療部９が設けられている。
【００１８】
［施療部の構成］
腰位置に設けられた前記施療部９を例として説明する。図３〜６に示す通り、前記施療部９は、第１エアセル１０と、第２エアセル１１と、前記第１エアセル１０を固定するための第１固定部材１２と、前記第２エアセル１１を固定するための第２固定部材１３とで構成されており、前記第１エアセル１０と前記第２エアセル１１との間には、前記第１固定部材１２が介在して設けられている。なお、前記第１エアセル１０及び第２エアセル１１は、それぞれが電磁弁１４を介してポンプ１５と接続されているため、独立して膨脹収縮可能となっている。
【００１９】
［第１エアセルの構成］
図３、４に示す通り、前記第１エアセル１０は複数のエアセルで構成されており、それぞれのエアセルは、膨脹部１６と非膨脹部１７とで構成されている。そして、前記膨脹部１６の中心部周辺は、被施療者に対してマッサージ作用を与えるための人体作用部１８となっている。また、前記第１エアセル１０は、前記第１固定部材１２の中心部よりも前側に揺動可能に取り付けられている。なお、前記第１エアセル１０の取付位置を変更することで、被施療部への当接度合を変えることができるため、被施療者へ与える体感を変更することができる。
【００２０】
［第２エアセルの構成］
図３、４に示す通り、前記第２エアセル１１は複数のエアセルで構成されており、それぞれのエアセルは、膨脹部１６と非膨脹部１７とで構成されている。そして、前記膨脹部１７の中心部周辺は、被施療者に対してマッサージ作用を与えるための人体作用部１８となっている。また、前記第２エアセル１１は、前記第２固定部材１３の中心部よりも後側に揺動可能に取り付けられている。また、前記第２エアセル１１の取付位置を変更することで、被施療部への当接位置を変えることができるため、被施療者へ与える体感を変更することができる。
【００２１】
［第１固定部材の構成］
図３、４に示す通り、前記第１固定部材１２は、一方が前記第２固定部材１３に対して揺動可能に取り付けられており、他方は前記第１エアセル１０が揺動可能に取り付けられている。なお、前記第１固定部材１２が可撓性を有している場合には、被施療者に対して柔らかな押圧を行うことができ、可撓性を有していない場合には、前記第１エアセル１０の移動量を確保するとともに、被施療者に対してしっかりとした押圧を行うことができる。
【００２２】
［第２固定部材の構成］
図３、４に示す通り、前記第２固定部材１３は板状部材で構成されており、中心部よりも後側に、前記第１固定部材１２が揺動可能に取り付けられており、前記第２固定部材１３と前記第１固定部材１２との間には、前記第２エアセル１１が揺動可能に取り付けられている。
【００２３】
［施療部移動機構］
図５は、前記施療部９を前後方向へ移動させるための施療部移動機構１９の側面断面図及び平面断面図である。前記施療部移動機構１９は、ねじ棒２０と前記ねじ棒に設けられたナットホルダー２１と前記ねじ棒２０を固定するためのブラケット２２と前記施療部９の移動を支持するためのガイドレール２３と前記ねじ棒２０の駆動源としてのモータ２４とで構成されており、前記ナットホルダー２１は、前記施療部９に固定されている。また、前記施療部移動機構１９の後部には、身体支持部８に固定するための取付部２５が設けられている。
【００２４】
前記モータ２４を駆動させると、前記ねじ棒２０が回転し、その回転に伴って、前記ナットホルダー２１が前方向又は後方向へ移動する。そのため、前記施療部９は前記ナットホルダー２１の移動に合わせて移動することとなるため、被施療者の体格に応じた位置に調整することができる。なお、前記モータ２４の回転方向を変更することにより、前記施療部９の移動方向を変更することができる。
【００２５】
［前後方向への移動］
図７に示すとおり、前記身体支持部８の左右両側には前記施療部９が設けられており、前記施療部９は、前記施療部移動機構１９を介して被施療者の前後方向に対して移動可能に構成されている。そのため、被施療者の体格に応じた最適な施療位置に調整することができる。なお、左右独立して移動可能に構成してもよい。
【００２６】
［左右方向への移動］
図８に示すとおり、前記身体支持部８の左右両側には前記施療部９が設けられており、前記施療部９は、前記施療部移動機構１９を介して被施療者の左右方向に対して移動可能に構成されている。そのため、被施療者の体格に応じた最適な施療位置に調整することができる。なお、前記施療部９の第２固定部材１３をＬ字型に構成することにより、前記施療部移動機構１９の構成をそのまま適用することができ、左右独立して移動可能に構成してもよい。
【００２７】
［上下方向への移動］
図９に示すとおり、前記施療部９は、施療部昇降機構２６を有している。前記施療部昇降機構２６は、前記施療部移動機構１９と同様の構成であり、前記モータ２４を駆動させることで、前記施療部９を上下方向に昇降させることができる。そのため、被施療者の体格に応じた位置に調整することができる。なお、前記モータ２４の回転方向を変更することにより、前記施療部９の昇降方向を変更することができる。
【００２８】
［偏心偏角カムを利用した上下左右方向への回動］
図１０に示すとおり、前記施療部９は、施療部回動機構２７を有している。前記施療部回動機構２７は、回転軸２８と前記回転軸２８に取り付けられた偏心偏角カム２９と前記施療部９の動きを規制するためのボールジョイント３０と前記回転軸２８を駆動させるための駆動源としてのモータ３１と前記モータ３１に設けられたギア３２と前記ギア３２と噛合することにより前記モータ３１の回転を前記回転軸２８に伝えるためのウォーム３３とで構成されている。
【００２９】
前記モータ３１を駆動させると、前記ギア３２が回転し、その回転により前記ウォーム３３が回転する。そうすることにより、前記回転軸２８が回転し、前記偏心偏角カム２９と前記ボールジョイント３０とを介して前記施療部９が上下左右方向へ回動し、被施療者に対して押圧することができる。
【００３０】
［偏角カムを利用した上下左右方向への揺動］
図１１に示すとおり、前記施療部９は、施療部揺動機構３４を有している。前記施療部揺動機構３４は、回転軸３５と前記回転軸３５に取り付けられた偏角カム３７と前記施療部９の動きを規制するためのボールジョイント３８と前記回転軸３５を駆動させるための駆動源としてのモータ３９と前記モータ３９に設けられたギア４０と前記ギア４０と噛合することにより前記モータ３９の回転を前記回転軸３５に伝えるためのウォーム４１とで構成されている。
【００３１】
前記モータ３９を駆動させると、前記ギア４０が回転し、その回転により前記ウォーム４１が回転する。そうすることにより、前記回転軸３５が回転し、前記偏角カム３７と前記ボールジョイント３８とを介して前記施療部９が左右方向へ揺動し、被施療者に対して押圧することができる。
【００３２】
図１２は、本発明の他の実施形態に係る施療部の側面図であり、前記施療部９をマッサージ機構４３の押出し機構４４に適用した状態を示す図である。前記押出し機構４４は、前記マッサージ機構４３を被施療者側へ押出すための押出し部材４５と前記押出し部材４５を押出すための第１エアセル４６及び第２エアセル４７と前記第１エアセル４６を固定するための第１固定部材４８と前記押出し機構４４の押出し量を規制するための規制手段４９と、を有している。
【００３３】
前記第２エアセル４７を膨脹させると、前記マッサージ機構４３は上方から下方へ向かう方向に移動し、被施療者の上方から押し付けるように押し出すことができる。そして、前記第２エアセル４７の膨脹を停止させると、前記規制手段４９によって、前記第２エアセル４７は収縮する。
【００３４】
前記第１エアセル４６を膨脹させると、前記マッサージ機構４３は下方から上方へ向かう方向に移動し、被施療者の下方から押し上げるように押し出すことができる。そして、前記第１エアセル４６の膨脹を停止させると、前記規制手段４９によって、前記第１エアセル４６は収縮する。なお、前記第１エアセル４６と前記第２エアセル４７とを同時に膨脹させた場合には、水平方向へ前記マッサージ機構４３を押し出すことができる。
【００３５】
このように前記施療部９をマッサージ機構４３の押出し機構４４に適用することで、簡単な構造でバリエーションに富んだ押出しを行うことができる。
【産業上の利用可能性】
【００３６】
本発明は、エアセルを安定して膨脹させることができるとともに、被施療部に対して、異なる方向からのマッサージができるマッサージ機に適用することができる。
【符号の説明】
【００３７】
身体支持部  ８
施療部  ９
第１エアセル  １０、４６
第２エアセル  １１、４７
第１固定部材  １２、４８
第２固定部材  １３
【図１】
0006649720.tif 000002
【図２】
0006649720.tif 000003
【図３】
0006649720.tif 000004
【図４】
0006649720.tif 000005
【図５】
0006649720.tif 000006
【図６】
0006649720.tif 000007
【図７】
0006649720.tif 000008
【図８】
0006649720.tif 000009
【図９】
0006649720.tif 000010
【図１０】
0006649720.tif 000011
【図１１】
0006649720.tif 000012
【図１２】
0006649720.tif 000013